(57)【要約】      （修正有）【課題】本の中の登場キャラクターをシオリやストラップ、ステッカーやキーホルダー、さらに組立式の置時計やハウス貯金箱やキャラクター人形にして、書籍・本・ノート・手帳だけでなく、いろいろ利用できる絵本を提供する。【解決手段】一般書籍・絵本等およびノート・手帳等のページ表面に、絵物語で綴られて登場するキャラクター３を描き、キャラクターに半抜き加工や全抜き加工あるいはページごとカット出きるように、切取り線加工を施す。キャラクターの素材は、紙、革、木やビニール、樹脂等、いろいろな材質で厚みを変えて使用する。ページ表面の適当な位置に、シオリ紐やストラップ紐、キーホルダーを納める収納袋７を設ける。シオリ紐やストラップ紐そしてキーホルダーを、切り取ったキャラクターに結びつける。さらにキャラクターの裏側に、ノリあるいはボンドを付け付箋加工を施す。【選択図】図１
0003213274.tif 000002
【実用新案登録請求の範囲】
【請求項１】
一般書籍・絵本等およびノート・手帳等（１）のページ表面（２）に、絵物語で綴られて登場するキャラクター（３）を描く、つぎにこのキャラクター（３）に半抜き加工や全抜き加工あるいはページごとカット出きるように、切取り線加工も施して、いろいろに簡単に切り取れるように設ける、このキャラクター（３）の素材は、紙、革、木やビニール、樹脂等、いろいろな材質で、しかも厚みを変えて設けて、いろいろ使用する、さらにページ表面（２）の適当なる位置に、シオリ紐（４）やストラップ紐（６）そしてまた、キーホルダー（１０）を納める収納袋（７）を設ける、つぎに、このシオリ紐（４）やストラップ紐（６）、キーホルダー（１０）を、切り取ったキャラクター（３）に結びつける、さらにキャラクター（３）の裏側に、ノリ（７）あるいはボンド（８）を付ける、つまり付箋加工を施して設ける
このような特徴より成る、おもしろブック。
【考案の詳細な説明】
【技術分野】
【０００１】  本考案は、一般書籍・絵本等として楽しみ、読み終われば登場キャラクターは各々シオリとして、またマスコットキーホルダーとして、さらにステッカーとして、その他、多利用できる本およびオリジナルノート・手帳等（５）に関するものである。
【背景技術】
【０００２】  従来、絵本等は、読んで観賞して楽しむように扱われているが何か物足りない。
【考案が解決しようとする課題】
【０００３】  現在、一般書籍・絵本等およびノート・手帳等（１）にもっと想像や夢を持たせて、生活の中で只、一般書籍・絵本等を見る度に、ユーモアとか美的感覚を貰ったり、置かれているだけで人々の感性に、何か訴えるものが、あるような存在にしたい。つまり、楽しいとか、可愛いとか、綺麗とか、凄いとか、このようなキャラクター（３）が描かれているが、このようなキャラクター（３）を、一般書籍・絵本等およびノート・手帳等（１）のページから取り出せて、これら一つ一つがシオリに成ると云うだけでなく、抜取った、各キャラクターはマスコットキーホルダーや、ステッカーや組立て貯金箱ハウス等、いろいろな組合せが出きる特徴を持たしたい。またこのキャラクター（３）は、紙，革、木およびビニール、樹脂等いろいろな材質を使用したりその素材の厚みを変えたりする。しかし、今の一般書籍・絵本等およびノート・手帳等には、そこまで考えたものは皆無であった。
これらの点を考慮し、今までにない有効な本考案がなされたのである。
【課題を解決するための手段】
【０００４】  本考案は出来る限りの簡単構成で形成されている。以下解決手段を説明する。
まず、一般書籍・絵本等およびノート・手帳等（１）のページ表面（２）には、一般書籍・絵本等と同じように絵物語が綴られている。この中で登場するキャラクター（３）は、半抜き加工や全抜き加工、あるいはページごとカット出来るように、一般書籍や絵本等およびノート・手帳等（１）のページ表面（２）に、さらに切取線加工も施して簡単に切取れるように設ける。またこれらのキャラクター（３）の材質はいろいろ変えることにより、特徴あるものになる。つまり紙、革、木、ビニール、樹脂等、いろいろ利用すると面白い。さらに、このキャラクター（３）の厚みを変える事により、薄くすればシオリに使用できるし、厚くすればストラップやキーホルダーに、利用出来、さらには丈夫な組立式の置時計や人形および組立ハウス貯金箱になる。またさらにページ表面（２）の適当なる位置に、シオリ紐（４）やストラップ紐（６）そしてキーホルダー（１０）を収める、収納袋（７）を設ける。そしてこのシオリ紐（４）やストラップ紐、キーホルダーを取り出して、切り取ったキャラクター（３）に結びつければ、ユニークなシオリやストラップ、キーホルダーになる。また、これらキャラクター（３）の裏側にノリ（９）やボンド（８）を塗り付ける方法つまり、付箋加工を施して設け、紐無しのシオリやステッカーにする事ができる。
本考案は以上のような特徴よりなる、おもしろブックである。
【考案の効果】
【０００５】  本考案は、一般書籍や絵本等およびノート・手帳等としてだけでなく、愛着を持った登場するキャラクターが、シオリ、ストラップ、キーホルダー、ステッカー、組立て式置時計、立体人形、組立ハウス貯金箱、その他いろいろな物が組立てられて、楽しく末永く愛着される。
【考案を実施するための最良の形態】
【０００６】  まず、一般書籍・絵本等およびノート・手帳等（１）のページ表面（２）には、通常の一般書籍・絵本等と同じように絵と物語のストーリーが綴られている。そして、このストーリーに登場するキャラクター（３）が描かれているがこのキャラクター（３）に半抜き加工や全抜き加工、またはページごと切取れるように、一般書籍・絵本等およびノート・手帳等（１）のページ表面（２）に切取線加工を施して設ける。さらに各登場するキャラクター（３）の材質はいろいろ変える事により、抜取ったキャラクターに、多くの特徴を与える事が出来る。つまり、その素材としては、紙、革、木、ビニール、樹脂等にすると、いろいろと面白味が発生する。さらにこのキャラクター（３）の厚み変える事により、薄くすればシオリに、厚くすれば、ストラップやキーホルダーになるし、さらに組立式の置時計や組立式のハウス貯金箱や、キャラクター人形等いろいろになるのである。またページ表面（２）の適当なる位置に、シオリ紐（４）やストラップ紐（６）またキーホルダー（１０）を収める、収納袋（７）を装着して設ける。つぎにシオリ紐（４）やストラップ紐（７）そしてキーホルダー（１０）を収納袋（７）より取出して、切取ったキャラクター（３）に結びつければ、ユニークなシオリやストラップやキーホルダーになる。さらにこれらのキャラクター（３）の裏側に、ノリ（９）またはボンド（８）を塗布する。つまり、付箋加工を施して設ける。これにより紐無しのシオリが出きるし、オリジナルのステッカーにもなる。
本考案は以上のような構成であり、これを使用実施するときには、【０００７】  一般書籍や絵本等およびノート・手帳等を楽しみながら観賞し、メモしたり、読み終わったりしたら、ページ表面（２）に付いているキャラクターを切り取って自分の好みの、シオリや、ストラップ、あるいはステッカー、組立置時計、組立ハウス貯金箱そしてまた、組付人形等、製作して楽しむ事が出来る。
【図面の簡単な説明】
【０００８】
【図１】  本考案のシオリやストラップの取出組立図である。
【図２】  本考案の表紙図である。
【図３】  本考案のハウス貯金箱や組立置時計および人形の取出組立図である。
【図４】  本考案のノート・手帳等の説明図である。
【符号の説明】
【０００９】  １一般書籍・絵本等およびノート・手帳等
２ページ表面
３キャラクター
４シオリ紐
５オリジナルノート・手帳等
６ストラップ紐
７収納袋
８ボンド
９ノリ
１０キーホルダー
１１ステッカー
【図１】
0003213274.tif 000003
【図２】
0003213274.tif 000004
【図３】
0003213274.tif 000005
【図４】
0003213274.tif 000006
【手続補正書】
【提出日】平成29年6月6日(2017.6.6)
【手続補正１】
【補正対象書類名】実用新案登録請求の範囲
【補正対象項目名】全文
【補正方法】変更
【補正の内容】
【実用新案登録請求の範囲】
【請求項１】
絵本等（１）の各々のページ表面（２）に、絵物語のキャラクター（３）を特別に描き設ける、つぎにこのキャラクター（３）だけ本を読み終わった読者等が、自分で綺麗に簡単に本のページ表面（２）から、板状の概観であるが、外して取れるように、プレスで半抜き加工や全抜き加工を、各々のページの、ページ表面（２）に施して設ける、そしてこのキャラクター（３）部分のみ、素材を紙、皮革、木、樹脂、等に変えたりして設け、さらにキャラクター（３）ごとに厚みを変えて設ける、またページ表面（２）の適当なる位置に、シオリ紐（４）やストラップ紐（６）また、キーホルダー（１０）を納める収納袋（７）を設ける、つぎにこのシオリ紐（４）やストラップ紐（６）、キーホルダー（１０）を、切り取ったキャラクター（３）に結びつける、あるいは、そのようにしないでキャラクター（３）の裏側に、ノリ（９）あるいはボンド（８）を付けて、つまり付箋加工を施して設ける、このような特徴より成る、おもしろブック。
【手続補正２】
【補正対象書類名】明細書
【補正対象項目名】全文
【補正方法】変更
【補正の内容】
【考案の詳細な説明】
【技術分野】
【０００１】  本考案は、絵本等（１）として楽しみ、読み終われば，本の登場キャラクターは各々シオリとして、またマスコットキーホルダーとして、さらにステッカーとして、その他、多利用できる本に関するものである。
【背景技術】
【０００２】  従来、絵本等は、読んで観賞して楽しむように扱われているが何か物足りない。
【考案が解決しようとする課題】
【０００３】  現在、絵本等（１）にもっと想像や夢を持たせて、生活の中で只、絵本等を見る度に、ユーモアとか美的感覚を貰ったり、置かれているだけで人々の感性に、何か訴えるものが、あるような存在にしたい。つまり、楽しいとか、可愛いとか、綺麗とか、凄いとか、このようにキャラクター（３）が描かれているが、このようなキャラクター（３）を、絵本等（１）のページ表面（２）から取り出せて、これら一つ一つがシオリに成ると云うだけでなく、抜取った、各キャラクターはマスコットキーホルダーや、ステッカーだけでなく、組立てて貯金箱ハウスにもなると云う特徴を持たしたい。またこのキャラクター（３）部分だけは、紙，革、木、樹脂等の材質を使用したりその厚みを変えたりして設ける。しかし、今の絵本等（１）には、そこまで考えたものは皆無であった。
これらの点を考慮し、今までにない有効な本考案がなされたのである。
【課題を解決するための手段】
【０００４】  本考案は出来る限りの簡単構成で形成されている。以下解決手段を説明する。
まず、絵本等（１）のページ表面（２）には、絵や物語が綴られている。この中で登場するキャラクター（３）は、本考案では各々のページ表面（２）より、簡単に綺麗に取り出せるようにプレスで半抜き加工や全抜き加工を施して設ける。またこれらのキャラクター（３）の部分のみ、材質をいろいろ変えることにより、特徴あるものになる。つまり紙、皮革、木、樹脂等、に変えることにより、より面白いものになる。さらに、このキャラクター（３）部分の厚みを変える事により、薄くすればシオリに使用できるし、厚くすればストラップやキーホルダーに、利用出来、さらには丈夫な組立式の置時計や人形や組立ハウス貯金箱にもなる。またさらにページ表面（２）の適当なる位置に、シオリ紐（４）やストラップ紐（６）そしてキーホルダー（１０）を収める、収納袋（７）を設ける。そしてこのシオリ紐（４）やストラップ紐、キーホルダーを取り出して、切り取ったキャラクター（３）に結びつければ、ユニークなシオリやストラップ、キーホルダーになる。また、これらキャラクター（３）の裏側に、ノリ（９）やボンド（８）を塗り付ける方法の付箋加工を施して設け、紐無しのシオリやステッカーにする事ができる。
本考案は以上のような特徴よりなる、おもしろブックである。
【考案の効果】
【０００５】  本考案は、ただ絵本としてだけでなく、愛着を持った、登場するキャラクターが、シオリ、ストラップ、キーホルダー、ステッカー、あるいは組立て式置時計、立体人形、組立ハウス貯金箱、その他いろいろな、キャラクターにより物が組立てられ、楽しい絵本として、末永く愛着される。
【考案を実施するための最良の形態】
【０００６】  まず、絵本等（１）のページ表面（２）には、通常の一般書籍・絵本等と同じように絵と物語のストーリーが綴られている。そして、このストーリーに登場するキャラクター（３）が描かれているが、このキャラクター（３）を読者が容易に、各々のページのページ表面（２）から取り出せるように、半抜き加工や全抜き加工を施して設ける。さらに各登場するキャラクター（３）部分の材質はいろいろ変える事により、抜取ったキャラクターに、多くの特徴を与える事が出来る。つまり、その素材としては、紙、皮革、木、樹脂等にすると、いろいろと面白味が発生する。さらにこのキャラクター（３）の厚み変える事により薄くすればシオリに、厚くすれば、ストラップやキーホルダーになるし、さらに組立式の置時計や組立式のハウス貯金箱や、キャラクター人形等いろいろになるのである。またページ表面（２）の適当なる位置に、シオリ紐（４）やストラップ紐（６）またキーホルダー（１０）を収める、収納袋（７）を装着して設ける。つぎにシオリ紐（４）やストラップ紐（７）そしてキーホルダー（１０）を収納袋（７）より取出して、切取ったキャラクター（３）に結びつければ、ユニークなシオリやストラップやキーホルダーになる。さらにこれらのキャラクター（３）の裏側に、ノリ（９）またはボンド（８）を塗布する。つまり、付箋加工を施して設ける。これにより紐無しのシオリ（５）が出きるし、オリジナルのステッカーにもなる。
本考案は以上のような構成であり、これを使用実施するときには、【０００７】  絵本等を楽しみながら観賞し読み終わったりしたら、各ページのページ表面（２）に付いている、キャラクターを切り取って自分の好みの、シオリや、ストラップ、あるいはステッカー、組立置時計、組立ハウス貯金箱そしてまた、組付人形等、製作して楽しむ事が出来る。
【図面の簡単な説明】
【０００８】
【図１】  本考案のシオリやストラップの取出組立図である。
【図２】  本考案の表紙図である。
【図３】  本考案のハウス貯金箱や組立置時計および人形の取出組立図である。
【図４】  本考案の参考図である。
【符号の説明】
【０００９】    １  絵本等
２  ページ表面
３  キャラクター
４  シオリ紐
５  シオリ
６  ストラップ紐
７  収納袋
８  ボンド
９  ノリ
１０  キーホルダー
１１  ステッカー
【手続補正３】
【補正対象書類名】図面
【補正対象項目名】全図
【補正方法】変更
【補正の内容】
【図１】
0003213274.tif 000007
【図２】
0003213274.tif 000008
【図３】
0003213274.tif 000009
【図４】
0003213274.tif 000010
【手続補正書】
【提出日】平成29年7月29日(2017.7.29)
【手続補正１】
【補正対象書類名】実用新案登録請求の範囲
【補正対象項目名】全文
【補正方法】変更
【補正の内容】
【実用新案登録請求の範囲】
【請求項１】
製本途中の絵本（１）のページ表面（２）に描かれている、キャラクター（３）を、容易に絵本（１）から剥がし取れるように、プレスで半抜き加工や全抜き加工を、このキャラクター（３）に施し、またページ表面（２）の適当なる位置に、収納袋（６）を設ける、つぎにこの収納袋（６）に、シオリ紐（４）やストラップ紐（５）、そしてキーホルダー（７）を収め、製本を完成させる、
このような特徴より成る、絵本。
【手続補正２】
【補正対象書類名】明細書
【補正対象項目名】全文
【補正方法】変更
【補正の内容】
【考案の詳細な説明】
【技術分野】
【０００１】  本考案は、絵本（１）として楽しみ、読み終われば，本の登場キャラクターは各々シオリとして、またマスコットキーホルダーとして、さらにステッカーとして、多利用できる本に関するものである。
【背景技術】
【０００２】  従来、絵本は、読んで観賞して楽しむように扱われているが何か物足りない。
【考案が解決しようとする課題】
【０００３】  現在、生活の中で絵本は、美的感覚の中で夢が沢山描かれている、とくにこれらを表現してるのが、キャラクター（３）である。このキャラクター（３）を、絵本（１）のページ表面（２）から取り出して、抜取った、各キャラクターはマスコットキーホルダーや、ストラップにして使えると云う、絵本（１）にしたい。しかし、今の絵本（１）には、そこまで考えたものは皆無であった。
これらの点を考慮し、今までにない有効な本考案がなされたのである。
【課題を解決するための手段】
【０００４】  本考案は出来る限りの簡単構成で形成されている。以下解決手段を説明する。
まず、絵本（１）のページ表面（２）には、絵や物語が綴られている。この中で登場するキャラクター（３）は、本考案では絵本（１）のページ表面（２）より、簡単に綺麗に取り出せるように、製本途中でプレスで半抜き加工や全抜き加工を施す。またさらにページ表面（２）の適当なる位置に、収納袋（６）を設ける。そして最後に、この収納袋（６）の中に、シオリ紐（４）およびストラップ紐（５）、そしてキーホルダー（７）を収める。
本考案は以上のような特徴よりなる、絵本である。
【考案の効果】
【０００５】  本考案は、愛着を持った、登場するキャラクターが、シオリ、ストラップ、キーホルダー、ステッカーとして、絵本（１）から取出す事が出来る。さらに、キャラクター（３）によっては、組立て式置時計や人形、組立ハウス貯金箱として、取出せる、楽しい絵本（１）として、末永く愛着される。
【考案を実施するための最良の形態】
【０００６】  まず、本考案の絵本（１）のページ表面（２）には、通常の絵本と同じように絵と物語のストーリーが綴られている。そして、このストーリーに登場するキャラクター（３）が描かれているが、このキャラクター（３）を読者が容易にページ表面（２）から取出せるように、製本途中で半抜き加工や全抜き加工を施す。さらにベストモードとしては、登場するキャラクター（３）の部分のみ、材質を、皮革、や樹脂にすると、いろいろと面白味が増える。つまり魅力的な置時計やハウス貯金箱や、人形にキャラクター（３）がなるのである。次にページ表面（２）の適当なる位置に、収納袋（７）を装着して設ける。最後にシオリ紐（４）やストラップ紐（５）そしてキーホルダー（７）を収納袋（６）に収める。
本考案は以上のような構成であり、これを使用実施するときには、【０００７】  絵本（１）を楽しみながら観賞し読み終わったら、各ページのページ表面（２）に描かれている、キャラクターを切り取って自分の好みの、シオリや、ストラップ、あるいはステッカー、組立置時計、組立ハウス貯金箱そしてまた、組付人形を、製作して楽しむ事が出来る。
【図面の簡単な説明】
【０００８】
【図１】  本考案のキャラクターの取出組立図である。
【図２】  本考案の表紙図である。
【図３】  本考案のキャラクターの取出組立図である。
【図４】  本考案の参考図である。
【符号の説明】
【０００９】１  絵本
２  ページ表面
３  キャラクター
４  シオリ紐
５  ストラップ紐
６  収納袋
７  キーホルダー
【手続補正３】
【補正対象書類名】図面
【補正対象項目名】全図
【補正方法】変更
【補正の内容】
【図１】
0003213274.tif 000011
【図２】
0003213274.tif 000012
【図３】
0003213274.tif 000013
【図４】
0003213274.tif 000014